(57)【要約】【課題】記録方法及び記憶装置において、ビットパターンド媒体を用いて高記録密度と高速データ転送の両立を可能とすることを目的とする。【解決手段】記憶領域が半径方向上複数のエリアに分割された記録媒体にデータを記録する記録方法において、記録準備に要するデータ処理時間が最短となるように、各エリア内のトラックの組み合わせ、各トラックへのデータの割り振り及び各トラックへの記録順序に関する情報を予めメモリに保存しておき、前記メモリに保存された前記情報に基づいて、前記記録媒体に記録するべきデータを前記複数のエリアを１組として分割し、前記メモリに保存された前記情報に従って、分割されたデータを前記複数のエリアと同じ数のヘッドにより前記記録媒体上の対応するエリア内のトラックに記録するように構成する。【選択図】図１
2010049739.tif 000002
【特許請求の範囲】
【請求項１】
記憶領域が半径方向上複数のエリアに分割された記録媒体にデータを記録する記録方法であって、
記録準備に要するデータ処理時間が最短となるように、各エリア内のトラックの組み合わせ、各トラックへのデータの割り振り及び各トラックへの記録順序に関する情報を予めメモリに保存しておく工程と、
前記メモリに保存された前記情報に基づいて、前記記録媒体に記録するべきデータを前記複数のエリアを１組として分割する工程と、
前記メモリに保存された前記情報に従って、分割されたデータを前記複数のエリアと同じ数のヘッドにより前記記録媒体上の対応するエリア内のトラックに記録する工程を有する、記録方法。
【請求項２】
記憶領域が半径方向上複数のエリアに分割された記録媒体にデータを記録する記憶装置であって、
記録準備に要するデータ処理時間が最短となるように、各エリア内のトラックの組み合わせ、各トラックへのデータの割り振り及び各トラックへの記録順序に関する情報を予め保存しているメモリと、
記録時に、前記メモリから読み出した前記情報に基づいて、前記記録媒体に記録するべきデータを前記複数のエリアを１組として分割するデータ分割回路と、
前記記録時に、前記メモリから読み出した前記情報に従って、分割されたデータを前記複数のエリアと同じ数のヘッドにより前記記録媒体上の対応するエリア内のトラックに記録する制御部を備えた、記憶装置。
【請求項３】
各エリア内のトラックの組み合わせに関する情報は、１回の記録で使用するトラックの組み合わせを示す第１の情報であり、
各トラックへのデータの割り振りに関する情報は、各エリア内の各トラックに記録するデータのバイト数の比率を各トラックのデータ転送速度に基づく補正係数で示す第２の情報であり、
各トラックへの記録順序に関する情報は、記録時に使用する各エリア内のトラックの組み合わせの使用順序を示す第３の情報である、請求項２記載の記憶装置。
【請求項４】
前記データ分割回路は、前記第２の情報に基づいて前記記録媒体に記録するべきデータを分割し、
前記制御部は、前記第１及び第３の情報に従った順序で前記分割されたデータを前記ヘッドにより前記記録媒体上の対応するエリア内のトラックに記録する、請求項３記載の記憶装置。
【請求項５】
前記制御部は、再生時に、前記メモリから読み出した前記第１及び第３の情報に従った順序で、前記ヘッドによりデータを前記記録媒体の各エリア内のトラックから再生し、
前記再生時に、前記ヘッドにより再生されたデータを、前記第２の情報に基づいて合成して元のデータを復元するデータ合成回路を更に備えた、請求項３又は４記載の記憶装置。
【請求項６】
前記記録媒体はビットパターンド媒体である、請求項２乃至５のいずれか１項記載の記憶装置。
【発明の詳細な説明】
【技術分野】
【０００１】
本発明は、記録方法及び記憶装置に係り、特にビットパターンド媒体等に対してデータを記録する記録方法及びそのような記録方法を用いる記憶装置に関する。
【背景技術】
【０００２】
現状のディスク装置（ＨＤＤ：Hard Disk Drive）で用いられている連続記録媒体は、パターンを形成しない媒体構造を有する。これに対し、高密度記録を可能にするため、トラック方向のみパターンを形成するディスクリート媒体や、更に、ビット方向とトラック方向の両方向でパターンを形成するビットパターンド媒体が提案されている。
【０００３】
ディスクリート媒体では、ビット方向については連続記録媒体と同じ構造である。一方、ビットパターンド媒体では、ビット長方向にも溝を掘った構造となるため、製造プロセス上、連続記録媒体に比べてビット長を小さくすることが困難である。
【０００４】
従来は、ＨＤＤにおける記録媒体の回転数を上げることと、ビット方向の記録密度の高密度化により、ＨＤＤへの記録再生速度（又は、データ転送速度）を速くして、ＨＤＤ内の処理速度を高めている。
【特許文献１】特開２０００−１８７８０５号公報
【発明の開示】
【発明が解決しようとする課題】
【０００５】
ビットパターンド媒体では、ビット長を小さく形成することは製造プロセスの精度に依存するが、連続記録媒体のようにビット長を小さくすることは困難である。このため、現状のＨＤＤで採用されている記録媒体の回転数では、ビットパターンド媒体を用いた場合のデータ転送速度が遅くなってしまうという問題があった。
【０００６】
そこで、本発明は、ビットパターンド媒体を用いて高記録密度と高速データ転送の両立を可能とする記録方法及び記憶装置を提供することを目的とする。
【課題を解決するための手段】
【０００７】
本発明の一観点によれば、記憶領域が半径方向上複数のエリアに分割された記録媒体にデータを記録する記録方法であって、記録準備に要するデータ処理時間が最短となるように、各エリア内のトラックの組み合わせ、各トラックへのデータの割り振り及び各トラックへの記録順序に関する情報を予めメモリに保存しておく工程と、前記メモリに保存された前記情報に基づいて、前記記録媒体に記録するべきデータを前記複数のエリアを１組として分割する工程と、前記メモリに保存された前記情報に従って、分割されたデータを前記複数のエリアと同じ数のヘッドにより前記記録媒体上の対応するエリア内のトラックに記録する工程を有する記録方法が提供される。
【０００８】
本発明の一観点によれば、記憶領域が半径方向上複数のエリアに分割された記録媒体にデータを記録する記憶装置であって、記録準備に要するデータ処理時間が最短となるように、各エリア内のトラックの組み合わせ、各トラックへのデータの割り振り及び各トラックへの記録順序に関する情報を予め保存しているメモリと、記録時に、前記メモリから読み出した前記情報に基づいて、前記記録媒体に記録するべきデータを前記複数のエリアを１組として分割するデータ分割回路と、前記記録時に、前記メモリから読み出した前記情報に従って、分割されたデータを前記複数のエリアと同じ数のヘッドにより前記記録媒体上の対応するエリア内のトラックに記録する制御部を備えた記憶装置が提供される。
【発明の効果】
【０００９】
開示の記録方法及び記憶装置によれば、ビットパターンド媒体を用いて高記録密度と高速データ転送の両立を可能とすることができる。
【発明を実施するための最良の形態】
【００１０】
例えばＨＤＤでは、ビット密度が一定であっても、記録媒体の内周側ではデータ転送速度が遅く、外周側ではデータ転送速度が速い。そこで、開示の記録方法及び記憶装置では、データを記録媒体に記録する際、記録媒体の記憶領域（即ち、記録面）を半径方向上複数のエリアに分割し、これらの複数のエリアを１組としてデータを所定単位で分割する。この所定単位は、例えばバイト単位である。
【００１１】
データ処理時間が最短になるように、予め各エリア内のトラックの組み合わせ、各トラックへのデータの割り振り及び各トラックへの記録順序をメモリに保存しておく。データを記録媒体に記録する際には、メモリに保存された情報に基づいてデータを分割し、メモリに保存された情報に従って分割されたデータを上記複数のエリアと同じ数のヘッドにより記録媒体上の対応するエリア内のトラックに記録する。
【００１２】
これにより、ビットパターンド媒体を用いて高記録密度と高速データ転送の両立が可能となる。
【実施例】
【００１３】
図１は、本発明の一実施例における記憶装置を示す図である。本実施例では、説明の便宜上、本発明が磁気ディスク装置に適用されているが、記録媒体はディスク形状である必要はなく、回転可能であれば良い。又、記録及び再生の指示は、外部のホスト装置（図示せず）から磁気ディスク装置に供給されても良い。
【００１４】
図１において、磁気ディスク装置１はハウジング１１を有する。ハウジング１１内には、モータ（図示せず）により周知の方法で回転制御されるハブ１２、ハブ１２に固定された磁気ディスク１３、複数のアーム１４、アーム１４を駆動する周知の構成を有するアクチュエータ１５、メモリ１６、データ分割回路１７、データ合成回路１８、制御部１９等が設けられている。制御部１９は、磁気ディスク装置１全体の動作を制御するＣＰＵ（Central Processing Unit）等のプロセッサにより構成可能である。各アーム１４の先端には、磁気ヘッド２１が設けられている。本実施例では、２本のアーム１４が設けられているので、２個の磁気ヘッド２１が磁気ディスク１３に対してデータの記録再生を行える。
【００１５】
磁気ディスク１３は、ビットパターンド媒体であり、記憶領域（即ち、記録面）１３１を有する。記憶領域１３１は、磁気ディスク１３の半径方向上、複数のエリア１３１−１，１３１−２に分割されている。本実施例では、２個の磁気ヘッド２１が設けられているので、記憶領域１３１は２つのエリア１３１−１，１３１−２に分割されている。各エリア１３１−１，１３１−２内のトラック数は等しく設定されている。エリア１３１−１は磁気ディスク１３の内周側に設けられ、エリア１３１−２は磁気ディスク１３の外周側に設けられている。又、記憶領域１３１には、サーボ情報Ｓが放射状に記録されており、各エリア１３１−１，１３１−２内の位置情報は、各エリア１３１−１，１３１−２内のサーボ情報Ｓに含まれている。
【００１６】
磁気ディスク１３が一定回転速度で回転されて記憶領域１３１上のビット密度が一定であっても、磁気ディスク１３の内周側ではデータ転送速度が遅く、外周側ではデータ転送速度が速い。従って、エリア１３１−１内のトラックのデータ転送速度は、エリア１３１−２内のトラックのデータ転送速度より遅い。
【００１７】
各エリア１３１−１，１３１−２内の各トラックのデータ転送速度に基づき、分割したデータの処理時間が同じになるように、図２に示す如き情報Ｉ１，Ｉ２，Ｉ３をメモリ１６に予め保存しておく。図２は、メモリ１６に保存しておく情報を説明する図である。情報Ｉ１は、１回の記録又は再生で使用するトラックの組み合わせ、例えばエリア１３１−１内のトラックとエリア１３１−２内のトラックの組み合わせＴｒａ１，Ｔｒｂ１、Ｔｒａ２，Ｔｒｂ２、．．．を示す。情報Ｉ２は、各エリア１３１−１，１３１−２内の各トラックに記録又は各トラックから再生するデータのバイト数の比率、即ち、各トラックのデータ転送速度に基づく補正係数を示す。つまり、情報Ｉ２は、各エリア１３１−１，１３１−２内の各トラックＴｒａ１，．．．，Ｔｒｂ２，．．．へのデータの割り振りを示す。情報Ｉ３は、記録時に使用する各エリア１３１−１，１３１−２内のトラックの組み合わせの使用順序、例えばトラックＴｒａ１，Ｔｒｂ１、トラックＴｒａ２，Ｔｒｂ２、．．．を示す。情報Ｉ１，Ｉ２，Ｉ３は、データ処理時間が最短になるように決めることが望ましい。ここで、データ処理時間とは、磁気ディスク装置１が記録指示を受けてから、データに所定の信号処理（上記データの分割を含む）を施して磁気ヘッド２１により磁気ディスク１３にデータを記録するための準備を完了するまでの、記録準備に要する時間を言う。
【００１８】
図３は、記録動作を説明するフローチャートである。図３に示す記録動作は、制御部１９によりデータ分割回路１７を用いて実行される。
【００１９】
図３の記録動作は、例えばホスト装置からの記録指示に応答して開始される。ステップＳＴ１は、メモリ１６から上記の情報Ｉ１，Ｉ２，Ｉ３を読み出して取得する。ステップＳＴ２は、取得した情報Ｉ２に基づいて、記録指示により指定されたデータをデータ分割回路１７を用いて分割する。ステップＳＴ３は、各磁気ヘッド２１により再生されたサーボ情報Ｓを取得する。ステップＳＴ４は、データ分割回路１７により分割されたデータを、情報Ｉ１，Ｉ３に従った順序で各磁気ヘッド２１により各エリア１３１−１，１３１−２に記録し、処理は終了する。ステップＳＴ３においてサーボ情報Ｓが取得されているので、ステップＳＴ４においてデータを記録する際には磁気ヘッド２１の位置を適切に制御することができる。
【００２０】
例えば、記録するべきデータがバイト単位のデータＡＢＣＤＥＦＧＨであり、情報Ｉ２が示す補正係数がトラックＴｒａ１については「１」でトラックＴｒｂ１については「２」であるものとすると、データＡＢＣＤＥＦＧＨはデータの並びに対して交互にトラックＴｒａ１とトラックＴｒｂ１に記録され、トラックＴｒａ１には１バイト分、トラックＴｒｂ１には２バイト分のデータが記録される。これにより、データＡＤＧがエリア１３１−１内のトラックＴｒａ１に記録され、データＢＣＥＦＨがエリア１３１−２内のトラックＴｒｂ１に記録される。
【００２１】
図４は、再生動作を説明するフローチャートである。図４に示す再生動作は、制御部１９によりデータ合成回路１８を用いて実行される。
【００２２】
図４の再生動作は、例えばホスト装置からの再生指示に応答して開始される。ステップＳＴ１１は、メモリ１６から上記の情報Ｉ１，Ｉ２，Ｉ３を読み出して取得する。ステップＳＴ１２は、各磁気ヘッド２１により再生されたサーボ情報Ｓを取得する。ステップＳＴ１３は、取得した情報Ｉ１，Ｉ３に従った順序で、再生指示により指定されたデータを各磁気ヘッド２１により記憶領域１３１から再生する。ステップＳＴ１２においてサーボ情報Ｓが取得されているので、ステップＳＴ１３においてデータを再生する際には磁気ヘッド２１の位置を適切に制御することができる。ステップＳＴ１４は、各磁気ヘッド２１により再生されたデータを、情報Ｉ２に基づいてデータ合成回路１８により合成し、処理は終了する。合成されたデータ、即ち、記録時の元のデータは、ホスト装置へ転送される。
【００２３】
例えば、上記記録動作について説明したように、情報Ｉ２が示す補正係数がトラックＴｒａ１については「１」でトラックＴｒｂ１については「２」であり、データＡＤＧがエリア１３１−１内のトラックＴｒａ１に記録され、データＢＣＥＦＨがエリア１３１−２内のトラックＴｒｂ１に記録されていれば、情報Ｉ１，Ｉ３に従った順序でトラックＴｒａ１からデータＡＤＧが再生されトラックＴｒｂ１からデータＢＣＥＦＨが再生される。又、情報Ｉ２に基づいたバイト数の比率で、再生されたデータＡＤＧ及びデータＢＣＥＦＨが合成されて元のデータＡＢＣＤＥＦＧＨが復元される。
【００２４】
上記の例では、データがエリア１３１−１内の１本のトラックＴｒａ１及びエリア１３１−２内の１本のトラックＴｒｂ１に対して記録再生されるが、図２に示す情報Ｉ１，Ｉ２，Ｉ３を用いてデータを各エリア１３１−１，１３１−２内の複数本のトラックに対して記録再生可能であることは言うまでもない。又、エリアの数、即ち、磁気ヘッド２１の数は２に限定されず、３以上であっても良い。
【００２５】
以上の実施例を含む実施形態に関し、更に以下の付記を開示する。
（付記１）
記憶領域が半径方向上複数のエリアに分割された記録媒体にデータを記録する記録方法であって、
記録準備に要するデータ処理時間が最短となるように、各エリア内のトラックの組み合わせ、各トラックへのデータの割り振り及び各トラックへの記録順序に関する情報を予めメモリに保存しておく工程と、
前記メモリに保存された前記情報に基づいて、前記記録媒体に記録するべきデータを前記複数のエリアを１組として分割する工程と、
前記メモリに保存された前記情報に従って、分割されたデータを前記複数のエリアと同じ数のヘッドにより前記記録媒体上の対応するエリア内のトラックに記録する工程を有する、記録方法。
（付記２）
各エリア内のトラックの組み合わせに関する情報は、１回の記録で使用するトラックの組み合わせを示す第１の情報であり、
各トラックへのデータの割り振りに関する情報は、各エリア内の各トラックに記録するデータのバイト数の比率を各トラックのデータ転送速度に基づく補正係数で示す第２の情報であり、
各トラックへの記録順序に関する情報は、記録時に使用する各エリア内のトラックの組み合わせの使用順序を示す第３の情報である、付記１記載の記録方法。
（付記３）
前記分割する工程は、前記第２の情報に基づいて前記記録媒体に記録するべきデータを分割し、
前記記録する工程は、前記第１及び第３の情報に従った順序で前記分割されたデータを前記ヘッドにより前記記録媒体上の対応するエリア内のトラックに記録する、付記２記載の記録方法。
（付記４）
前記所定単位はバイト単位である、付記１乃至３のいずれか１項記載の記録方法。
（付記５）
前記記録媒体はビットパターンド媒体である、付記１乃至４のいずれか１項記載の記録方法。
（付記６）
記憶領域が半径方向上複数のエリアに分割された記録媒体にデータを記録する記憶装置であって、
記録準備に要するデータ処理時間が最短となるように、各エリア内のトラックの組み合わせ、各トラックへのデータの割り振り及び各トラックへの記録順序に関する情報を予め保存しているメモリと、
記録時に、前記メモリから読み出した前記情報に基づいて、前記記録媒体に記録するべきデータを前記複数のエリアを１組として分割するデータ分割回路と、
前記記録時に、前記メモリから読み出した前記情報に従って、分割されたデータを前記複数のエリアと同じ数のヘッドにより前記記録媒体上の対応するエリア内のトラックに記録する制御部を備えた、記憶装置。
（付記７）
各エリア内のトラックの組み合わせに関する情報は、１回の記録で使用するトラックの組み合わせを示す第１の情報であり、
各トラックへのデータの割り振りに関する情報は、各エリア内の各トラックに記録するデータのバイト数の比率を各トラックのデータ転送速度に基づく補正係数で示す第２の情報であり、
各トラックへの記録順序に関する情報は、記録時に使用する各エリア内のトラックの組み合わせの使用順序を示す第３の情報である、付記６記載の記憶装置。
（付記８）
前記データ分割回路は、前記第２の情報に基づいて前記記録媒体に記録するべきデータを分割し、
前記制御部は、前記第１及び第３の情報に従った順序で前記分割されたデータを前記ヘッドにより前記記録媒体上の対応するエリア内のトラックに記録する、付記７記載の記憶装置。
（付記９）
前記所定単位はバイト単位である、付記６乃至８のいずれか１項記載の記憶装置。
（付記１０）
前記制御部は、再生時に、前記メモリから読み出した前記第１及び第３の情報に従った順序で、前記ヘッドによりデータを前記記録媒体の各エリア内のトラックから再生し、
前記再生時に、前記ヘッドにより再生されたデータを、前記第２の情報に基づいて合成して元のデータを復元するデータ合成回路を更に備えた、付記７乃至９のいずれか１項記載の記憶装置。
（付記１１）
前記記録媒体はビットパターンド媒体である、付記７乃至１０のいずれか１項記載の記憶装置。
（付記１２）
前記記録媒体は磁気ディスクである、付記１１記載の記憶装置。
【００２６】
以上、本発明を実施例により説明したが、本発明は上記実施例に限定されるものではなく、本発明の範囲内で種々の変形及び改良が可能であることは言うまでもない。
【図面の簡単な説明】
【００２７】
【図１】本発明の一実施例における記憶装置を示す図である。
【図２】メモリに保存しておく情報を説明する図である。
【図３】記録動作を説明するフローチャートである。
【図４】再生動作を説明するフローチャートである。
【符号の説明】
【００２８】
１           磁気ディスク装置
１１       ハウジング
１２       ハブ
１３       磁気ディスク
１４       アーム
１５       アクチュエータ
１６       メモリ
１７       データ分割回路
１８       データ合成回路
２９       制御部
１３１    記憶領域
１３１−１，１３１−２    エリア
【図１】
2010049739.tif 000003
【図２】
2010049739.tif 000004
【図３】
2010049739.tif 000005
【図４】
2010049739.tif 000006